(57)【要約】【課題】氷柱形成の抑制を図った照明器具を提供する。【解決手段】光源部２０を有する器具本体１０を備えた照明器具１において、器具本体１０の上面１０Ａから下面１０Ｂに連通し、上面１０Ａから、器具本体１０の中を通して、下面１０Ｂの側に排水する排水孔３０を備えた。【選択図】図２
2017183263.tif 000002
【特許請求の範囲】
【請求項１】
光源部を有する器具本体を備えた照明器具において、
前記器具本体の上面から下面に連通し、前記上面から、前記器具本体の中を通して、前記下面の側に排水する排水孔を備えた
ことを特徴とする照明器具。
【請求項２】
前記器具本体の上面は、少なくとも一部が前記排水孔に向けて下方に傾斜していることを特徴とする請求項１に記載の照明器具。
【請求項３】
前記器具本体には、前記排水孔の付近に発熱元が配置されていることを特徴とする請求項１または２に記載の照明器具。
【請求項４】
前記器具本体の上面には、両側面に沿って壁が形成され、当該壁は前記発熱元から断熱されていることを特徴とする請求項１乃至３のいずれかに記載の照明器具。
【請求項５】
前記器具本体は、設置状態においては基端側が固定され、先端から基端に向けて下方に傾斜し、
前記光源部は、独立したユニットとして構成され、前記器具本体の先端側に上面を外部に露出させて取り付けられ、
前記排水孔は、前記光源部と、前記基端側の基部との間に設けられ、
前記光源部と、前記壁との間が断熱されていることを特徴とする請求項４に記載の照明器具。
【請求項６】
前記排水孔は、前記器具本体の上面の幅方向に沿って細長形状に形成されていることを特徴とする請求項１乃至５のいずれかに記載の照明器具。
【請求項７】
前記排水孔の開口幅は２ｃｍ以下に設定されていることを特徴とする請求項１乃至６のいずれかに記載の照明器具。
【請求項８】
前記壁は、前記器具本体の先端側から、前記排水孔に向かって互いの距離が近くなるように設けられていることを特徴とする請求項４乃至７のいずれかに記載の照明器具。
【請求項９】
前記基部は、前記排水孔を挟んで前記光源部と対向する部分に、前記光源部の上面から排水される水を堰き止める堰止部を備えていることを特徴とする請求項５乃至８のいずれかに記載の照明器具。
【請求項１０】
前記基部の上面は、設置状態において、前記排水孔に向かって下方に傾斜していることを特徴とする請求項９に記載の照明器具。
【請求項１１】
前記器具本体は、前記光源部の被照射面に対する角度を調整可能にする可動固定部を備えていることを特徴とする請求項５乃至１０のいずれかに記載の照明器具。
【請求項１２】
支柱に設置される器具本体を有する照明器具であって、
前記器具本体は
前記支柱に取り付けられる支柱取付部を有する基部と、
前記基部から照射面上方に張り出すように延びる一対のアームと、
前記一対のアームに支持され、下面に照射開口を有する光源部と、を有し、
前記一対のアームは、前記光源部の左右の側縁に沿って形成されていることを特徴とする照明器具。
【請求項１３】
前記光源部の上面は平らであり、一端に向かって下方に傾斜しており、
前記光源部の上面に沿って流れる水が、前記一端から排水可能に構成されていることを特徴とする請求項１２に記載の照明器具。
【請求項１４】
前記アームと、前記光源部との間に、前記アーム及び前記光源部よりも熱伝導性の低い材料から成る断熱材を挟装したことを特徴とする請求項１２または１３に記載の照明器具。
【請求項１５】
前記光源部は、前記基部に対向する一端に向かって下方に傾斜しており、前記アームは、前記基部と、前記光源部との間に隙間を設けて前記光源部を支持することを特徴とする請求項１２乃至１４の何れかに記載の照明器具。
【請求項１６】
前記アームは、前記光源部の上面よりも１ｃｍ以上上方に突出していることを特徴とする請求項１２乃至１５の何れかに記載の照明器具。
【請求項１７】
前記アームは、前記光源部を角度可変に支持する可動固定部を有することを特徴とする請求項１２乃至１６の何れかに記載の照明器具。
【請求項１８】
前記光源部の上部に鳥害防止用の突出部を設けた事を特徴とする請求項１２乃至１７の何れかに記載の照明器具。
【請求項１９】
前記突出部は、前記光源部の上面から上方に向かって突出していることを特徴とする請求項１８に記載の照明器具。
【請求項２０】
前記突出部は、前記基部から前記光源部の上部空間に向かって突出していることを特徴とする請求項１８に記載の照明器具。
【発明の詳細な説明】
【技術分野】
【０００１】
本発明は、照明器具に関する。
【背景技術】
【０００２】
従来、光源からの熱を器具本体における下端部に伝達することで、下端部外面から氷柱が発生するのを防いでいる屋外用照明器具がある（例えば、特許文献１参照）。
【先行技術文献】
【特許文献】
【０００３】
【特許文献１】特開２０１２−００９１６６号公報
【発明の概要】
【発明が解決しようとする課題】
【０００４】
しかしながら、光源からの熱を器具本体における下端部に伝達して下端部外面から氷柱が発生するのを防止しても、器具本体の上部に氷の層が生成された場合には、この氷の層から氷柱が形成される場合があった。
【０００５】
そこで本発明は、上述した事情に鑑みてなされたものであり、氷柱形成の抑制を図った照明器具を提供することを目的とする。
【課題を解決するための手段】
【０００６】
本発明は、光源部を有する器具本体を備えた照明器具において、前記器具本体の上面から下面に連通し、前記上面から、前記器具本体の中を通して、前記下面の側に排水する排水孔を備えたことを特徴とする。
【０００７】
また、本発明は、上記照明器具において、前記器具本体の上面は、少なくとも一部が前記排水孔に向けて下方に傾斜していることを特徴とする。
【０００８】
また、本発明は、上記照明器具において、前記器具本体には、前記排水孔の付近に発熱元が配置されていることを特徴とする。
【０００９】
また、本発明は、上記照明器具において、前記器具本体の上面には、両側面に沿って壁が形成され、当該壁は前記発熱元から断熱されていることを特徴とする。
【００１０】
また、本発明は、上記照明器具において、前記器具本体は、設置状態においては基端側が固定され、先端から基端に向けて下方に傾斜し、前記光源部は、独立したユニットとして構成され、前記器具本体の先端側に上面を外部に露出させて取り付けられ、前記排水孔は、前記光源部と、前記基端側の基部との間に設けられ、前記光源部と、前記壁との間が断熱されていることを特徴とする。
【００１１】
また、本発明は、上記照明器具において、前記排水孔は、前記器具本体の上面の幅方向に沿って細長形状に形成されていることを特徴とする。
【００１２】
また、本発明は、上記照明器具において、前記排水孔の開口幅は２ｃｍ以下に設定されていることを特徴とする。
【００１３】
また、本発明は、上記照明器具において、前記壁は、前記器具本体の先端側から、前記排水孔に向かって互いの距離が近くなるように設けられていることを特徴とする。
【００１４】
また、本発明は、上記照明器具において、前記基部は、前記排水孔を挟んで前記光源部と対向する部分に、前記光源部上面から排水される水を堰き止める堰止部を備えていることを特徴とする。
【００１５】
また、本発明は、上記照明器具において、前記基部の上面は、設置状態において、前記排水孔に向かって下方に傾斜していることを特徴とする。
【００１６】
また、本発明は、上記照明器具において、前記器具本体は、前記光源部の被照射面に対する角度を調整可能にする可動固定部を備えていることを特徴とする。
【００１７】
また、本発明は、支柱に設置される器具本体を有する照明器具であって、前記器具本体は前記支柱に取り付けられる支柱取付部を有する基部と、前記基部から照射面上方に張り出すように延びる一対のアームと、前記一対のアームに支持され、下面に照射開口を有する光源部と、を有し、前記一対のアームは、前記光源部の左右の側縁に沿って形成されていることを特徴とする。
【００１８】
また、本発明は、上記照明器具において、前記光源部の上面は平らであり、一端に向かって下方に傾斜しており、前記光源部の上面に沿って流れる水が、前記一端から排水可能に構成されていることを特徴とする。
【００１９】
また、本発明は、上記照明器具において、前記アームと、前記光源部との間に、前記アーム及び前記光源部よりも熱伝導性の低い材料から成る断熱材を挟装したことを特徴とする。
【００２０】
また、本発明は、上記照明器具において、前記光源部は、前記基部に対向する一端に向かって下方に傾斜しており、前記アームは、前記基部と、前記光源部との間に隙間を設けて前記光源部を支持することを特徴とする。
【００２１】
また、本発明は、上記照明器具において、前記アームは、前記光源部の上面よりも１ｃｍ以上上方に突出していることを特徴とする。
【００２２】
また、本発明は、上記照明器具において、前記アームは、前記光源部を角度可変に支持する可動固定部を有することを特徴とする。
【００２３】
また、本発明は、上記照明器具において、前記光源部の上部に鳥害防止用の突出部を設けた事を特徴とする。
【００２４】
また、本発明は、上記照明器具において、前記突出部は、前記光源部の上面から上方に向かって突出していることを特徴とする。
【００２５】
また、本発明は、上記照明器具において、前記突出部は、前記基部から前記光源部の上部空間に向かって突出していることを特徴とする。
【発明の効果】
【００２６】
本発明では、上面から、器具本体の中を通して、下面の側に排水する排水孔を備えた。したがって、器具本体の上面に氷の層が形成された場合でも、氷の層から氷柱が形成されにくくなり、また、器具本体の側面から雪解け水が排水されることがなく、器具本体の側面部に氷柱が形成されるのを抑制することができる。
【図面の簡単な説明】
【００２７】
【図１】本発明の実施形態に係る照明器具を下方からみた斜視図である。
【図２】照明器具を上方からみた斜視図である。
【図３】照明器具の側面図である。
【図４】照明器具の断面図である。
【図５】図４中Ａ部を示す部分拡大断面図である。
【図６】器具本体から光源部を分離した分解斜視図である。
【図７】本発明の第１の変形例の照明器具の断面図である。
【図８】本発明の第２の変形例の照明器具の側面図である。
【図９】本発明の第３の変形例の照明器具の側面図である。
【図１０】本発明の第４の変形例の照明器具の斜視図である。
【図１１】本発明の第５の変形例の照明器具の斜視図である。
【図１２】光源部に積雪している状態を示す模式図である。
【発明を実施するための形態】
【００２８】
以下、図面を参照して本発明の実施形態について説明する。
図１は本実施形態に係る照明器具１を下方からみた斜視図であり、図２は照明器具１を上方からみた斜視図である。図３は照明器具１の側面図である。
この照明器具１は、屋外の照明に用いられる器具であり、図１〜図３に示すように、器具本体１０を備え、器具本体１０が支柱５の上端部３（図４）に支持されて設置される。支柱５は、道路脇、街路脇、駐車場、公園などの屋外に立設されたポール型の柱である。なお、支柱５に代えて、構造物の壁面から延びるアーム状の部材に器具本体１０を支持させてもよい。
【００２９】
器具本体１０は、平面視略矩形状を成す。器具本体１０は、支柱から照射面の上方に張り出すように延びる形態で取り付けられる。器具本体１０の底面には、一端の側（以下、先端１１の側と称する）に照明光を通す開口である照射開口２２が設けられ、他端の側（以下、基端１２の側と称する）に支柱用挿入孔１３が設けられる。支柱用挿入孔１３は、上記支柱５の上端部３を挿入する孔部である。器具本体１０は、クランプ機構（図示せず）を内蔵し、支柱５の上端部３が当該クランプ機構に保持される。このように、器具本体１０は、支柱用挿入孔１３と、不図示のクランプ機構によって構成される支柱取付部１１３を有する。器具本体１０が道路脇に設置されるときには、器具本体１０の先端１１が道路側（車道側）に向けて設置される。なお、器具本体１０の道路の進行方向に沿った方向を、器具本体１０の幅方向として以下に説明している。
【００３０】
器具本体１０は、図２に示すように、基部１５と、フレーム１６と、光源部２０とを備えている。基部１５は、器具本体１０の基端１２の側に設けられ、中空箱型に形成されている。基部１５には、上述の支柱取付部１１３が備えられている。また、基部１５の内部には、図示は省略するが、電源ユニットが収められている。電源ユニットは、外部から供給される商用電力を、光源部２０の規格に合せて電力変換する機器である。なお、電源ユニットは、器具本体１０の基部１５内に配置される代わりに、支柱５の中に配置されてもよい。
【００３１】
基部１５の底面には、図１に示すように、上述した支柱用挿入孔１３が設けられている。フレーム１６は、基部１５の幅方向の左右両側から先端１１の側に向かって延びる一対のアーム状の部材である。なお、フレーム１６は、基部１５と一体に形成されている構成とすることができる。光源部２０は、図６に示すように、独立したユニットとして基部１５とは別体に構成され、フレーム１６に着脱可能に取り付けられている。
【００３２】
光源部２０は、図１に示すように、筐体を構成する部材としてケース体２１を備えている。ケース体２１の内部には、器具本体１０の光源である発光素子を備えている。
基部１５、フレーム１６、及びケース体２１は、屋外使用に十分に耐え得る耐食性、及び強度を有し、かつ、高い熱伝導性を有する材料から成る鋳造物（いわゆるダイキャスト製）である。この材料には、例えばアルミニウムやアルミニウム合金等が用いられる。なお、フレーム１６を耐食性、及び強度を有する強化プラスチック等の金属以外の材料から構成し、フレーム１６へ、基部１５及び光源部２０から熱が伝わりにくい構造とする構成であっても良い。
【００３３】
ケース体２１は、図４に示すように、上下方向の厚みが薄く、上面２１Ｂが平面に形成され、上面２１Ｂに略平行な底面の側が開放した箱形である。ケース体２１の底面の側の開放部は、照射開口２２として構成されている。照射開口２２の縁部には、シール部材の一例である不図示のパッキンが全周に亘って嵌め込まれ、このパッキンによって、透明カバー２３が水密に嵌め込まれる。このように、照射開口２２が透明カバー２３によって閉塞されることで、光源部２０が防水に構成される。透明カバー２３は、平板状の部材であり、例えば透明なガラスや樹脂で形成される。
【００３４】
光源部２０には、ケース体２１内に、発光素子の一例であるＬＥＤ２５を光源として備えた光源ユニット２４が複数配置されている。光源ユニット２４は、ＬＥＤ２５と、ＬＥＤ２５が実装された実装基板２６と、ＬＥＤ２５を覆って配置される光学レンズ２７と、ＬＥＤ２５、及び光学レンズ２７を包囲する反射鏡２８とを備えている。ＬＥＤ２５には、ＣＯＢ（Ｃｈｉｐ  Ｏｎ  Ｂｏａｒｄ）型ＬＥＤが好適に用いられる。また、ＬＥＤ２５は、ＳＭＤ（Ｓｕｒｆａｃｅ  Ｍｏｕｎｔ  Ｄｅｖｉｃｅ）型ＬＥＤであっても良い。
【００３５】
それぞれの光源ユニット２４は、ＬＥＤ２５の熱が、効率よくケース体２１に伝熱されるように、適宜の方法で取り付けられている。本実施形態では、それぞれの光源ユニット２４は、ケース体２１の内側の天面２１Ａに固定されている。天面２１Ａには、例えばケース体２１と一体に形成された台座２９が設けられ、この台座２９に実装基板２６を固定して、光源ユニット２４が天面２１Ａに取りつけられる構成であっても良い。光源ユニット２４の熱は、ケース体２１の天面２１Ａに伝熱され、天面２１Ａの裏面である上面２１Ｂから光源部２０の外側の雰囲気に放熱される。これにより、光源ユニット２４の温度上昇を抑えることができる。また、ケース体２１は、薄型に形成されているため、ケース体２１全体に光源ユニット２４からの熱が伝えやすい構成とされている。これにより、光源部２０全体を熱源として構成することができる。
なお、ケース体２１の上面２１Ｂは、光源部２０の上面２０Ａを構成し、器具本体１０は、この光源部２０の上面２０Ａが外部に露出するように構成されている。
【００３６】
ところで、発光素子を光源とした照明器具１は、放電灯を光源とした従来の照明器具に比べて、器具本体１０の表面の温度が低いので、積雪量が比較的多い寒冷地帯に設置された場合、多量の雪が器具本体１０に堆積する。この場合、何ら対策を施さなければ、堆積した雪が器具本体１０の発熱や太陽光の熱などで溶け、雪どけ水が器具本体１０から垂れ落ちることで、１メートル級の氷柱が形成される、という問題がある。
【００３７】
そこで、この照明器具１には、光源部２０の上面２０Ａに堆積した雪による氷柱の発生を抑えるべく、以下に記載するように構成されている。
照明器具１は、光源部２０からの光で遠方まで照らすために、図３に示すように、支柱５への設置時には、器具本体１０が先端１１を基端１２よりも上方に向けて設置される。
光源部２０は、設置状態において、上面２０Ａが、前端２１Ｘから後端２１Ｙに向かって下方に傾斜するため、上面２０Ａの雨水や雪どけ水は、後端２１Ｙの側に向かって流れる。
【００３８】
器具本体１０は、基部１５の左右の側縁部から先端１１に向かって延びる一対のフレーム１６を備える。フレーム１６は、器具本体１０の骨格を成すものであり、器具本体１０の基端１２の側から先端１１の側まで側面視略直線状に延び、支柱５に対する器具本体１０の設置角度を規定する。独立したユニットとして構成された光源部２０は、後端２１Ｙと基部１５との間に隙間Ｇ２（図５）を有して、フレーム１６に取り付けられる。
【００３９】
フレーム１６は、基部１５から先端１１の側に向かって突設された部分が、光源部２０を支持するアーム１７として構成されている。アーム１７の下面１８は、器具本体１０の基端１２から先端１１に続く直線に沿って延びる平面に形成されている。フレーム１６には、このアーム１７の下面１８に、光源部２０の上面２０Ａが固定される。アーム１７は、光源部２０からの熱が伝わりにくい構成とすることが望ましい。例えば、アーム１７は、光源部２０よりも熱伝導性の低い材料から形成する構成とすることができる。また、フレーム１６が、例えば基部１５と一体に、熱伝導性に優れた部材で形成されている場合には、アーム１７の下面１８と、光源部２０の上面２０Ａとの間には、断熱材４が配設される。フレーム１６は、断熱材４を間に挟んで、光源部２０がフレーム１６の上側から羅入されたねじによって螺子止めされる。このように、フレーム１６には、光源部２０からの熱が伝熱されないように構成される。なお、本実施形態ではアーム１７の下面１８に、光源部２０の上面２０Ａを固定する構成としたが、これに限らず、アーム１７間に光源部２０を側面２０Ｃの側から挟み込んで支持する構成であっても良い。
【００４０】
アーム１７は、図６に示すように、下面１８から上方に突設された壁部１９（壁）を備える断面凸形状に形成されている。壁部１９は、アーム１７に光源部２０が取り付けられた際に、光源部２０の左右の側縁２０Ｄに沿って、土手状に延びるように構成されている。この壁部１９によって、光源部２０の上面２０Ａには、左右の側縁２０Ｄに沿って壁が形成されるように構成されている。このように、光源部２０は、上面２０Ａが、前端２１Ｘから後端２１Ｙに向かって下方に傾斜するように取り付けられると共に、上面２０Ａの左右の側縁２０Ｄに沿って壁が形成される。この構成により、光源部２０の上面２０Ａでは、雨水や雪どけ水が、光源部２０の左右の側面２０Ｃから垂れ落ちることがなく、後端２１Ｙに向かって流れる。なお、アーム１７は、壁部１９が、光源部２０の上面２０Ａから１ｃｍ以上上方に突出する適宜の高さＨに形成されているのが望ましい（図７参照）。
【００４１】
また、上述したように、光源部２０は、後端２１Ｙと基部１５との間に隙間Ｇ２を有して、フレーム１６に取り付けられる。基部１５の光源部２０に対向する面部は、光源部２０の上面２０Ａより上方が、上面２０Ａの上方に張り出すように構成されている。基部１５において、上面２０Ａの上方に張り出すように構成された部分は、光源部２０の上面２０Ａの表面を前端２１Ｘから後端２１Ｙに向かって流れる水を堰き止める堰止部３５として機能する。光源部２０の上面２０Ａと、堰止部３５との間には、図５に示すように隙間Ｇ１が形成され、当該隙間Ｇ１は、光源部２０の後端２１Ｙと、基部１５との間の隙間Ｇ２に連通する。このように、器具本体１０には、光源部２０の上面２０Ａから、器具本体１０の中を通って、器具本体１０の下面１０Ｂに連通する孔が形成される。この、器具本体１０の中を通って器具本体１０の上面１０Ａから下面１０Ｂに連通する孔は、器具本体１０の上面１０Ａから水を排水する排水孔３０として構成される。
【００４２】
基部１５は、図３に示すように、一対のアーム１７間の部分が、上方に突出し、上面１５Ａが光源部２０の上面２０Ａよりも上方に配置されるように構成されている。また、基部１５の上面１５Ａは、照明器具１の設置状態において、少なくとも堰止部３５の上部が、排水孔３０に向かって下方に傾斜している。これにより、基部１５の上面１５Ａからの水が、光源部２０の上面２０Ａに導かれて、排水孔３０から排水されるように構成されている。
【００４３】
また、一対のアーム１７は、壁部１９が器具本体１０の先端１１の側から排水孔３０に向かって互いの距離が近くなるように構成されているのが望ましい。例えば、一対のアーム１７を器具本体１０の先端１１の側から排水孔３０に向かって幅広になる形状とすることで、壁部１９が先端１１の側から排水孔３０に向かって互いの距離が近くなるような構成としても良い。また、一対のアーム１７を湾曲した形状とすることで、壁部１９が先端１１の側から排水孔３０に向かって互いの距離が近くなるような構成としても良い。
【００４４】
これらの構成によれば、光源部２０の上面２０Ａには、アーム１７の壁部１９によって、左右の側縁２０Ｄに沿って堤防が形成され、光源部２０の上面２０Ａでは、この堤防上の壁部１９に沿って流れ、排水孔３０に導かれて排水される。これにより、光源部２０の上面２０Ａから側面２０Ｃの側に延びる氷柱の発生を抑制することができる。また、光源部２０からアーム１７に熱が伝わらないように、アーム１７を断熱したため、光源部２０の上面２０Ａに積もった雪は、上面２０Ａの近傍の雪が解け、上面２０Ａの上方には、図１２に示すように、一対のアーム１７間に架け渡され、上面２０Ａとの間に空洞Ｍを有してかまくら状に雪Ｋが積もる。このかまくら状に積もった雪Ｋにより、光源部２０の上面２０Ａと、積もった雪Ｋとの間に空気の層（空洞Ｍ）が形成されるため、器具本体１０の温度低下が抑制される。よって、器具本体１０に積もった雪が過剰に解けるのを防止するとともに、排水孔３０近傍の温度が低下するのを防止することができる。
【００４５】
また、光源部２０の上面２０Ａの表面を前端２１Ｘから後端２１Ｙに向かって流れる水は、堰止部３５で堰き止められると共に、堰止部３５と上面２０Ａとの間に形成された排水孔３０を介して、上面２０Ａから下面２０Ｂに排水される。これにより、器具本体１０の側面１０Ｃから雪解け水が排水されるのを抑制し、排水孔３０から排水することができる。また、器具本体１０の中を通して排水孔３０から雪解け水を排水することで、器具本体１０の上に積もった雪と、雪解け水とを分離することができるため、氷の層から氷柱が形成されるのを防ぐことができる。
【００４６】
また、排水孔３０は、複数の光源ユニット２４からの熱で温度が高くなっている光源部２０の上面２０Ａから後端２１Ｙに沿って設けられている。このように、排水孔３０の付近に発熱元である光源部２０を配置することで、排水孔３０の近傍の温度を高くすることができ、排水孔３０内で雪解け水が凍結するのを防ぐことができる。なお、排水孔３０の開口は、器具本体１０の幅方向に沿った長手方向を２ｃｍ〜３０ｃｍの長さに、短手方向を１ｍｍ〜２ｃｍ以下の幅の細長形状に形成されている。このように、排水孔３０の開口幅Ｗを２ｃｍ以下とすることで、氷の層に伝わった雪解け水が排水孔３０で堰き止められ、氷の層から氷柱が発生しにくくなるということを発明者らは実験から明らかにした。また、排水孔３０の開口幅Ｗを２ｃｍ以下とすることで排水孔３０から形成される氷柱の根本部分の寸法が規制されるため、発生する氷柱の長さが短くなることも判明した。
【００４７】
以上説明したように、本実施形態の照明器具１では、光源部２０を有する器具本体１０を備えた照明器具１において、器具本体１０の上面１０Ａから下面１０Ｂに連通し、上面１０Ａから、器具本体１０の中を通して、下面１０Ｂの側に排水する排水孔３０を備えた。これにより、器具本体１０の上面１０Ａに氷の層が形成された場合でも、氷の層から氷柱が形成されにくくなり、また、器具本体１０の側面１０Ｃの側から排水が行われることがなく、器具本体１０の側面部に雪解け水による氷柱が形成されるのを抑制することができる。
【００４８】
また本実施形態の照明器具１では、器具本体１０の上面１０Ａは、少なくとも一部が排水孔３０に向けて下方に傾斜している。これにより、器具本体１０の上面１０Ａから水が排水孔３０に向けて流れやすくなる。よって、排水孔３０からの排水を促進して、器具本体１０の側面１０Ｃの側からの排水を抑制し、器具本体１０の側面部に雪解け水による氷柱が形成されるのを防ぐことができる。
【００４９】
また本実施形態の照明器具１では、器具本体１０には、排水孔３０の付近に発熱元である光源ユニット２４を複数備えた光源部２０が配置されている。これにより、光源部２０からの熱で排水孔３０の付近を温めることができ、排水孔３０から排水される水が凍結して氷柱が形成されるのを防ぐことができる。なお、排水孔３０の付近に、発熱元となる光源部２０と、電源ユニット６０とを配置して、排水孔３０の付近での凍結を防ぐ構成であっても良い。
【００５０】
また本実施形態の照明器具１では、器具本体１０の上面１０Ａには、両側面１０Ｃに沿って壁部１９が形成され、当該壁部１９は発熱元から断熱されている。これにより、器具本体１０の上面１０Ａから側面１０Ｃの側に排水されるのを壁部１９で防ぐことができる。また、壁部１９は発熱元である光源部２０から断熱されているため、壁部１９の周囲で雪が解けて雪解け水が発生して壁部１９の近傍で氷柱が形成されるのを防ぐことができる。よって、器具本体１０の側面部から氷柱が形成されるのを抑制することができる。
【００５１】
また本実施形態の照明器具１では、器具本体１０は、設置状態においては基端１２の側が固定され、先端１１から基端１２に向けて下方に傾斜し、光源部２０は、独立したユニットとして構成され、器具本体１０の先端１１の側に上面２０Ａを外部に露出させて取り付けられ、排水孔３０は、光源部２０と、基端１２の側の基部１５との間に設けられ、光源部２０と、壁部１９との間が断熱されている。これにより、発熱元である光源部２０の上面２０Ａで発生した雪解け水を基端１２の側に流して、光源部２０と基部１５との間に設けられた排水孔３０から排水することができる。また、壁部１９によって雪解け水が光源部２０の側面２０Ｃの側から排水されるのを防ぐことができる。また、光源部２０と、壁部１９との間を断熱することで、光源部２０の上面２０Ａの上にはかまくら状に雪Ｋが積もる。これにより、光源部２０の上面２０Ａと、雪Ｋとの間に形成される空洞Ｍによる空気層によって断熱して、器具本体１０の温度低下を抑制し、光源部２０の上に積もった雪が過剰に解けるのを防ぐことができるとともに、排水孔３０の付近の温度低下を防ぐことができる。
【００５２】
また本実施形態の照明器具１では、排水孔３０は、器具本体１０の上面１０Ａの幅方向に沿って細長形状に形成されている。これにより、器具本体１０を先端１１から基端１２に向けて下方に傾斜させるという簡単な構成で、器具本体１０の上面１０Ａから効率よく水を排水することができる。
【００５３】
また本実施形態の照明器具１では、排水孔３０の開口幅Ｗは２ｃｍ以下に設定されている。これにより、排水孔３０を介して排水される水により例えば２０ｃｍ以上の大きな氷柱が発生するのを防ぐことができる。
【００５４】
また本実施形態の照明器具１では、器具本体１０の両側面１０Ｃに沿って設けられた一対の壁部１９は、器具本体１０の先端１１の側から、排水孔３０に向かって互いの距離が近くなるように設けられている。これにより、排水孔３０に向かって水を導くことができ、効率よく水を排水することができる。
【００５５】
また本実施形態の照明器具１では、基部１５は、排水孔３０を挟んで光源部２０と対向する部分に、光源部２０の上面２０Ａから排水される水を堰き止める堰止部３５を備えている。これにより、器具本体１０の傾きにより、先端１１の側から基端１２に向けて下方に流れてくる水を、堰止部３５で堰き止めて、排水孔３０から排水させることができる。これにより、雪解け水が基部１５の側に流れてくるのを防いで、基部１５に氷柱が形成されるのを抑制することができる。
【００５６】
また本実施形態の照明器具１では、基部１５の上面１５Ａは、設置状態において、排水孔３０に向かって下方に傾斜している。これにより、基部１５の上面１５Ａから水が排水孔３０に向かって流され、排水孔３０から排水され、基部１５に氷柱が形成されるのを抑制することができる。
【００５７】
ところで、光源部２０の上面２０Ａに積もった雪が光源部２０の発熱や太陽光などの影響で過剰に解けた場合には、器具端部の温度が下がり、氷柱が形成の要因となる懸念があった。そこで、本実施形態の照明器具では、光源部２０の上面２０Ａに積もった雪が過剰に解けるのを防止する構成が採用されている。
【００５８】
つまり、支柱５に設置される器具本体１０を有する本実施形態の照明器具１では、器具本体１０は支柱５に取り付けられる支柱取付部１１３を有する基部１５と、基部１５から照射面上方に張り出すように延びる一対のアーム１７，１７と、一対のアーム１７，１７に支持され、下面に照射開口２２を有する光源部２０と、を有し、一対のアーム１７，１７は、光源部２０の左右の側縁２０Ｄに沿って形成されている。
【００５９】
この構成によれば、光源部２０の左右の側縁２０Ｄに沿って、光源部２０よりも低温度となる部分を形成することができる。これにより、光源部２０の上面２０Ａに雪が積もった場合には、上面２０Ａ上では、光源部２０からの熱で雪が溶け、一対のアーム１７，１７間に架橋されたかまくら状に雪Ｋが積もり、雪Ｋと光源部２０の上面２０Ａとの間に空洞Ｍが形成される。このように、光源部２０の上部にかまくらが形成されることで、光源部２０の上面２０Ａと、雪との間に空気層が形成され、器具本体１０の温度低下が抑制されるため、雪解け水による氷柱の形成を防ぐことができる。
【００６０】
また本実施形態の照明器具１では、光源部２０の上面２０Ａは平らであり、一端（後端２１Ｙ）に向かって下方に傾斜しており、光源部２０の上面２０Ａに沿って流れる水が、一端（後端２１Ｙ）から排水可能に構成されている。これにより、光源部２０に積もった雪の雪解け水は、上面２０Ａを沿って一端から排水される。これにより、光源部２０の上部にかまくら状に雪Ｋが積もりやすくなり、このかまくらによって器具本体１０の温度低下が抑制されるため、雪解け水による氷柱の形成を防ぐことができる。
【００６１】
また本実施形態の照明器具１では、アーム１７と、光源部２０との間に、アーム１７及び光源部２０よりも熱伝導性の低い材料から成る断熱材４を挟装した。これにより、光源部２０からアーム１７に熱が伝熱されるのを防ぐことができるため、アーム１７を低温に保つことができる。よって、光源部２０への積雪時に、一対のアーム１７，１７間に架け渡すようにかまくら状に雪Ｋが積もり、空洞Ｍが形成される。よって、光源部２０の上面２０Ａと、雪との間が空気層によって断熱され、器具本体１０の温度低下を抑制し、雪解け水による氷柱の形成を防ぐことができる。
【００６２】
また本実施形態の照明器具１では、光源部２０は、基部１５に対向する一端（後端２１Ｙ）に向かって下方に傾斜しており、アーム１７は、基部１５と、光源部２０との間に隙間Ｇ１を設けて光源部２０を支持する。これにより、光源部２０に積もった雪の雪解け水は、上面２０Ａを沿って一端から排水される。これにより、光源部２０の上部にかまくらが形成されやすくなり、雪Ｋと、器具本体１０の間が空気層によって断熱されるため、器具本体１０の温度低下が抑制され、雪解け水による氷柱の形成を防ぐことができる。
【００６３】
また本実施形態の照明器具１では、アーム１７は、光源部２０の上面２０Ａよりも１ｃｍ以上上方に突出している。これにより、アーム１７によって光源部２０の上面２０Ａに沿って流れる雪解け水が、光源部２０の側面２０Ｃ側に流れるのを堰き止めることができ、光源部２０の側面２０Ｃから氷柱が発生するのを防ぐことができる。また、アーム１７を低温に保つことで、光源部２０に積もった雪により、一対のアーム１７，１７間に架け渡すようにかまくらを形成することができる。よって、光源部２０の上面２０Ａと、器具本体１０との間に空気層を設けて断熱して、器具本体１０の温度低下を抑制し、雪解け水による氷柱の形成を防ぐことができる。
【００６４】
図７は、本実施形態の照明器具の第１の変形例の照明器具１０１を示す図である。なお、この第１の変形例の照明器具１０１において、上述の照明器具１と同様の構成については図中に同一の符号を付してその説明を省略する。
図７に示したように、照明器具１０１では、電源ユニット６０が排水孔３０を挟んで光源部２０の後端２１Ｙと対向させて、基部１５の下面に設けられている。電源ユニット６０は、発熱元となるため、排水孔３０の付近に電源ユニット６０を配置することで、排水孔３０の付近が温められて、排水孔３０の近傍の温度を高くすることができ、排水孔３０内で雪解け水が凍結するのを防ぐことができる。なお、図示は省略するが、電源ユニット６０は、基部１５内部で、排水孔３０に近い位置に配置されている構成であっても良い。
【００６５】
以上説明したように、本実施形態の変形例１の照明器具１０１では、排水孔３０の付近に発熱元である光源部２０と、電源ユニット６０とが備えられているため、これらの発熱元からの熱により排水孔３０の付近が温められる。これにより、排水孔３０の付近で雪解け水が凍結するのを防ぐことができ、排水孔３０の付近から氷柱が形成されるのを抑制することができる。
【００６６】
図８は、本実施形態の照明器具の第２の変形例の照明器具１０２を示す図である。なお、この第２の変形例の照明器具１０２において、上述の照明器具１と同様の構成については図中に同一の符号を付してその説明を省略する。
本発明にかかる照明器具は、例えば道路灯として用いることができる。近年道路灯では、器具設置後に車線幅が変わった場合等で、器具を交換することなく、所望の照射範囲に光が届くようにすることができる照明器具に対する要望がある。このような要望に答えるべく、この第２の変形例の照明器具１０２は、光源部２０の傾斜角度が可変に構成されている。
【００６７】
図８に示すように照明器具１０２は、光源部２０を傾斜角度可変に支持するアーム１１７を備えている。アーム１１７は、基部１５から器具本体１０の先端１１の側に向かって、器具本体１０の左右の側面１０Ｃに沿って延びるアーム本体１１８と、光源部２０の上面２０Ａに固定される支持アーム１１９と、アーム本体１１８、支持アーム１１９を連結する可動固定部１２０とを備えている。支持アーム１１９は、光源部２０の長手方向の中間より先端側で光源部２０を支持するように構成されている。可動固定部１２０は、アーム本体１１８の先端部に、支持アーム１１９を回動可能に連結するとともに、支持アーム１１９を、アーム本体１１８に対して任意の角度で固定可能に構成されている。可動固定部１２０には、例えば、任意の角度で固定できるヒンジを用いることができる。
【００６８】
光源部２０は、アーム１１７の支持アーム１１９に支持された状態で、可動固定部１２０の固定角度を変えることで、路面等の被照射面に対する角度を任意の角度に調整可能に構成されている。このように、光源部２０の角度を調整可能な構成とすることで、例えば、照明器具１０２の設置時は２車線だったのが、設置後に３車線になった場合でも、既に設置されている照明器具の設置角度を変えることで、広くなった部分にも光が届くようにすることができる。
【００６９】
以上説明したように、器具本体１０は、光源部２０の被照射面に対する角度を調整可能にする可動固定部１２０を備えているため、照明器具１０２の設置後に、光源部２０の傾斜角度を変えることで、器具を交換することなく、所望の照射範囲に光が届くようにすることができる。
【００７０】
また本実施形態の照明器具１では、アーム１７は、光源部２０を角度可変に支持する可動固定部１２０を有する。これにより、アーム１７に、光源部２０を任意の角度で固定できるヒンジやボールジョイント等の既知の器具を用いて、簡単に、光源部２０の傾斜角度を変えることができる。
【００７１】
図９は、本実施形態の照明器具の第３の変形例の照明器具１０３を示す図である。上述の第２の変形例の照明器具１０２では、光源部２０がアーム１１７の先端側に支持され、光源部２０の被照射面に対する角度を大きくした際には、光源部２０の後端が基部１５から離れるように構成されていた。この第３の変形例の照明器具１０３では、光源部２０の被照射面に対する角度を大きくしても、光源部２０と、基部１５との間の距離に大きな違いが生じないように構成している。なお、この第３の変形例の照明器具１０３において、上述の照明器具１と同様の構成については図中に同一の符号を付してその説明を省略する。
【００７２】
図９に示すように照明器具１０３は、光源部２０を傾斜角度可変に支持するアーム１２７を備えている。アーム１２７は、基部１５から器具本体１０の先端１１の側に向かって、器具本体１０の左右の側面１０Ｃに沿って延びるアーム本体１２８と、光源部２０の上面２０Ａに固定される支持アーム１２９と、アーム本体１２８、支持アーム１２９を連結する可動固定部１３０とを備えている。支持アーム１２９は、光源部２０の長さ方向に亘って、上面２０Ａに取り付けられるように構成されている。そして、可動固定部１３０は、基部１５と、光源部２０との間でアーム本体１２８と、支持アーム１２９と、を連結するように構成されている。可動固定部１３０は、アーム本体１２８の先端部に、支持アーム１２９を回動可能に連結するとともに、支持アーム１２９を、アーム本体１２８に対して任意の角度で固定可能に構成されている。可動固定部１２０には、例えば、任意の角度で固定できるヒンジを用いることができる。
【００７３】
光源部２０は、アーム１２７の支持アーム１２９に支持された状態で、可動固定部１２０の固定角度を変えることで、路面等の被照射面に対する角度を任意の角度に調整可能に構成されている。このように、光源部２０の角度を調整可能な構成とすることで、例えば、照明器具１０２の設置時は２車線だったのが、設置後に３車線になった場合でも、既に設置されている照明器具の設置角度を変えることで、広くなった部分にも光が届くようにすることができる。また、可動固定部１３０が基部１５と、光源部２０との間の位置に設けられるため、光源部２０の傾斜角度を変えても、光源部２０が基部１５から離れて、排水孔３０の幅が広がることがない。よって、排水孔３０の幅を２ｃｍ以下にした状態で、光源部２０の傾斜角度を任意の角度に変えることができる。
【００７４】
以上説明したように、器具本体１０は、光源部２０の被照射面に対する角度を調整可能にする可動固定部１３０を備えているため、照明器具１０３の設置後に、光源部２０の傾斜角度を変えることで、器具を交換することなく、所望の照射範囲に光が届くようにすることができる。また、可動固定部１３０を基部１５と、光源部２０との間の位置に設けているため、排水孔３０の幅を２ｃｍ以下にした状態で、光源部２０の傾斜角度を任意の角度に変えることができ、排水孔３０の付近から大きな氷柱が形成されるのを抑制することができる。
【００７５】
図１０は、本実施形態の照明器具の第４の変形例の照明器具１０４を示す図であり、図１１は、本実施形態の照明器具の第５の変形例の照明器具１０５を示す図である。なお、この第４、第５の変形例の照明器具１０４，１０５において、上述の照明器具１と同様の構成については図中に同一の符号を付してその説明を省略する。図１０、図１１に示すように、照明器具１０４，１０５は、光源部２０の上部空間に突出する鳥害防止用の突出部１１０を備えている構成であっても良い。突出部１１０は、図１０に示すように光源部２０の上面２０Ａから上方に向かって突出している構成であっても良いし、図１１に示すように、基部１５から光源部２０の上部空間に向かって突出している構成であっても良い。突出部１１０は、例えば、金属製や樹脂製の細い棒状の部材を、光源部２０の上面２０Ａ、又は、基部１５にねじ止めや接着で固定して設けられている。
【００７６】
このように、本実施形態の照明器具１０４，１０５は、光源部２０の上部空間に突出する鳥害防止用の突出部１１０を備えているため、光源部２０の左右の側縁２０Ｄに沿って壁を形成するアーム１７で光源部２０を支持しても、光源部２０の上面２０Ａに鳥が止まることによる鳥害を防止することができる。
【００７７】
なお、上述した種々の実施形態は、あくまでも本発明の一態様を例示するものであって、本発明の趣旨を逸脱しない範囲で任意に変形、及び応用が可能である。
【００７８】
例えば、上述した実施形態において、ヒートパイプ等の熱輸送装置を用いて光源ユニット２４の熱を排水孔３０の付近に輸送して、排水孔３０の近辺を温める構成であってもよい。
【００７９】
また、上述した実施形態において、光源ユニット２４が備える発光素子の一例としてＣＯＢ型のＬＥＤ２５を例示したが、ＬＥＤ２５はＣＯＢ型でなくもともよい。また、発光素子は、ＬＥＤ２５ではなく有機ＥＬ素子などの他の素子でもよい。
【００８０】
上述した実施形態、及び変形例において、本発明に係る照明器具として道路や街路、公園を照明する灯具について例示したが、本発明は、任意の照明器具に適用できる。
【符号の説明】
【００８１】
１、１０１、１０２、１０３  照明器具
４  断熱材
１０  器具本体
１１  先端
１２  基端
１５  基部
１５Ａ  上面
１７、１１７、１２７  アーム
１９  壁部（壁）
２０  光源部
２０Ａ  上面
２０Ｂ  下面
２０Ｃ  側面
２０Ｄ  側縁
２１Ｘ  前端
２１Ｙ  後端
２４  光源ユニット
３０  排水孔
３５  堰止部
６０  電源ユニット
１２０、１３０  可動固定部  
【図１】
2017183263.tif 000003
【図２】
2017183263.tif 000004
【図３】
2017183263.tif 000005
【図４】
2017183263.tif 000006
【図５】
2017183263.tif 000007
【図６】
2017183263.tif 000008
【図７】
2017183263.tif 000009
【図８】
2017183263.tif 000010
【図９】
2017183263.tif 000011
【図１０】
2017183263.tif 000012
【図１１】
2017183263.tif 000013
【図１２】
2017183263.tif 000014